(57)【要約】【課題】視覚障害者であっても容易に且つ快適に入力操作が可能なタッチパネルを用いた入力装置を提供する。【解決手段】入力装置は、タッチパネル１２４上のユーザのタッチ位置を検出する位置検出部１３７と、タッチパネル１２４の表示画面に、それぞれが異なる処理に対応付けられた複数のアイコンを、タッチ位置の周囲に配置して表示する表示制御部１３４と、タッチ位置がスライドして複数のアイコンのいずれかが選択されたときに、表示制御部１３４により、選択されたアイコンに対応付けられた処理に関連する別の異なる処理に対応づけられた他の複数のアイコンを、スライド後のタッチ位置の周囲に配置して表示させるＣＰＵ１３３と、を備える。【選択図】図１
2014115787.tif 000002
【特許請求の範囲】
【請求項１】
タッチパネル上のユーザのタッチ位置を検出する位置検出手段と、
前記タッチパネルの表示画面に、それぞれが異なる処理に対応付けられた複数のアイコンを、前記タッチ位置の周囲に配置して表示する表示制御手段と、
前記タッチ位置がスライドして前記複数のアイコンのいずれかが選択されたときに、前記表示制御手段により、選択されたアイコンに対応付けられた処理に関連する別の異なる処理にそれぞれが対応付けられた他の複数のアイコンを、スライド後のタッチ位置の周囲に配置して表示させる制御手段と、を備えることを特徴とする、
入力装置。
【請求項２】
前記タッチパネルに密着して設けられ、自身の振動により前記タッチパネルを振動させる振動子を備えており、
前記制御手段は、前記選択されたアイコンに特有の振動パタンで前記振動子を振動させることを特徴とする、
請求項１記載の入力装置。
【請求項３】
音声を出力する発音手段と、
前記タッチ位置の検出から前記スライドまでの時間を計測するカウンタと、を備えており、
前記制御手段は、前記カウンタによる計測時間が一定時間経過することを条件として、前記発音手段に音声による入力ガイドを出力させることを特徴とする、
請求項２記載の入力装置。
【請求項４】
タッチパネルを備える入力装置により実行される方法であって、
前記タッチパネルの表示画面上のユーザのタッチ位置を検出するステップと、
前記タッチパネルの表示画面に、それぞれが異なる処理に対応付けられた複数のアイコンを、前記タッチ位置の周囲に配置して表示するステップと、
前記タッチ位置がスライドして前記複数のアイコンのいずれかが選択されたときに、前記表示画面に、選択されたアイコンに対応付けられた処理に関連する別の異なる処理にそれぞれが対応づけられた他の複数のアイコンを、スライド後のタッチ位置の周囲に配置して表示するステップと、を含むことを特徴とする、
入力方法。
【請求項５】
タッチパネルを備えるコンピュータを、
前記タッチパネルの表示画面上のユーザのタッチ位置を検出する位置検出手段、
前記タッチパネルの表示画面に、それぞれが異なる処理に対応付けられた複数のアイコンを、前記タッチ位置の周囲に配置して表示する表示制御手段、
前記タッチ位置がスライドして前記複数のアイコンのいずれかが選択されたときに、前記表示制御手段により、選択されたアイコンに対応付けられた処理に関連する別の異なる処理にそれぞれが対応付けられた他の複数のアイコンを、スライド後のタッチ位置の周囲に配置して表示させる制御手段、
として機能させるためのコンピュータプログラム。
【発明の詳細な説明】
【技術分野】
【０００１】
本発明は、タッチパネルを用いた入力装置に関する。
【背景技術】
【０００２】
コンピュータ等の情報処理装置に用いられる入力装置として、ディスプレイとポインティングデバイスとを組み合わせたタッチパネルがある。ディスプレイには、処理に対応付けられたアイコンが表示される。ポインティングデバイスは、利用者がタッチしたディスプレイの表示画面上の位置を検出する。利用者のタッチ位置が、アイコンの表示範囲内に含まれれば、該アイコンに対応付けられた処理が行われる。
【０００３】
タッチパネルは、指先の動きに呼応した滑らかな操作が可能であり、操作性が向上している。また、表示画面のデザインの自由度が高く、ユーザが操作しやすいようにアイコンを配置可能である。さらに、入力操作時に表示画面にのみ注目すればよいのでスムーズな入力が可能である。
【０００４】
しかし、視覚障害者がタッチパネルを入力装置として用いることは困難である。
特許文献１には、視覚障害者用の入力装置として、音声を入力操作に用いる技術が開示される。特許文献１では、音声案内に従って音声或いはキーボード等のハードウェアを操作することで、情報処理装置への入力を行う。
特許文献２には、表示画面の視認を必要としない、タッチパネルを用いた入力装置が開示される。特許文献２では、ユーザがタッチパネルの表示画面にタッチすると、タッチ位置を中心に入力メニューとなるアイコンが表示され、タッチパネルにタッチしたまま指をスライドして、目的のアイコンをタッチすることで入力が可能である。操作中は、音声のガイドにより、視覚障害者であっても入力が行えるようになっている。
【先行技術文献】
【特許文献】
【０００５】
【特許文献１】特開２００６−２３５０４０号公報
【特許文献２】特開２０１０−２２４６８４号公報
【発明の概要】
【発明が解決しようとする課題】
【０００６】
特許文献１、２では、いずれも、入力操作時に情報処理装置から音声が発せられるために、ユーザ以外の者にとっては、音声が騒音となって煩わしく感じてしまうことがある。特に、銀行のＡＴＭ（Automated Teller Machine）端末や駅の券売機のように公共の場で用いられる情報処理装置への入力操作では、周囲の人への配慮が必要であり、また、周囲の人に操作内容が漏れる可能性もある。
また、特許文献２では、設定項目が多くなると、入力メニューとなるアイコンも多数表示する必要があり、操作が複雑になる。
【０００７】
本発明は、上記の問題を解決するために、視覚障害者であっても容易に且つ快適に入力操作が可能なタッチパネルを用いた入力装置を提供することを主たる課題とする。
【課題を解決するための手段】
【０００８】
上記課題を解決する本発明の入力装置は、タッチパネル上のユーザのタッチ位置を検出する位置検出手段と、前記タッチパネルの表示画面に、それぞれが異なる処理に対応付けられた複数のアイコンを、前記タッチ位置の周囲に配置して表示する表示制御手段と、前記タッチ位置がスライドして前記複数のアイコンのいずれかが選択されたときに、前記表示制御手段により、選択されたアイコンに対応付けられた処理に関連する別の異なる処理にそれぞれが対応付けられた他の複数のアイコンを、スライド後のタッチ位置の周囲に配置して表示させる制御手段と、を備えることを特徴とする。
【０００９】
本発明の入力方法は、タッチパネルを備える入力装置により実行される方法であって、前記タッチパネルの表示画面上のユーザのタッチ位置を検出するステップと、前記タッチパネルの表示画面に、それぞれが異なる処理に対応付けられた複数のアイコンを、前記タッチ位置の周囲に配置して表示するステップと、前記タッチ位置がスライドして前記複数のアイコンのいずれかが選択されたときに、前記表示画面に、選択されたアイコンに対応付けられた処理に関連する別の異なる処理にそれぞれが対応づけられた他の複数のアイコンを、スライド後のタッチ位置の周囲に配置して表示するステップと、を含むことを特徴とする。
【００１０】
本発明のコンピュータプログラムは、タッチパネルを備えるコンピュータを、前記タッチパネルの表示画面上のユーザのタッチ位置を検出する位置検出手段、前記タッチパネルの表示画面に、それぞれが異なる処理に対応付けられた複数のアイコンを、前記タッチ位置の周囲に配置して表示する表示制御手段、前記タッチ位置がスライドして前記複数のアイコンのいずれかが選択されたときに、前記表示制御手段により、選択されたアイコンに対応付けられた処理に関連する別の異なる処理にそれぞれが対応付けられた他の複数のアイコンを、スライド後のタッチ位置の周囲に配置して表示させる制御手段、として機能させる。
【発明の効果】
【００１１】
本発明によれば、ユーザのタッチ位置の周囲に複数のアイコンが配置され、タッチ位置がスライドしていずれかのアイコンが選択された場合に、スライド後のタッチ位置の周囲に別の複数のアイコンが配置される。そのために、ユーザは、アイコンの位置を探す必要が無くなり、視覚障害者であっても容易に且つ快適にタッチパネルを用いた入力操作が行えるようになる。
【図面の簡単な説明】
【００１２】
【図１】本実施形態の複合機の構成図。
【図２】操作部の外観例示図。
【図３】メニューアイコンの表示例示図。
【図４】タッチ位置がメニューアイコンの上部領域に移動した場合の例示図。
【図５ａ】コピー操作の設定を行うメニューアイコンの遷移例示図。
【図５ｂ】コピー操作の設定を行うメニューアイコンの遷移例示図。
【図６】入力処理の制御手順を表すフローチャート。
【図７】入力処理の制御手順を表すフローチャート。
【発明を実施するための形態】
【００１３】
以下、本発明の実施の形態を図面を参照しつつ詳細に説明する。
【００１４】
図１は、本実施形態の入力装置を備えた複合機の構成図である。複合機は、複写、印刷、ファクシミリ、スキャン等の機能を持ち、プリンタ１０１、スキャナ１０２、コントローラ１０３、及び操作部１０４を備える。操作部１０４は、入出力部１１１及び情報処理部１１２を備えた入力装置である。
【００１５】
入出力部１１１はＬＣＤ（Liquid Crystal Display）１２１、モータ１２２、スピーカ１２３、タッチパネル１２４、及びハードキー１２５を備える。ＬＣＤ１２１、振動子としてのモータ１２２、及びスピーカ１２３は、情報処理部１１２からデータを受信し、それぞれ画像、振動、音声を出力する出力機構である。タッチパネル１２４及びハードキー１２５は、それぞれユーザによるタッチ位置、設定数値等のデータ、命令等を情報処理部１１２へ送信する入力機構である。
タッチパネル１２４は、透過性をもつシート状のポインティングデバイスが、ＬＣＤ１２１の表示画面上に設けられて構成される。タッチパネル１２４にはモータ１２２が密着して設けられており、モータ１２２自身の振動がタッチパネル１２４に伝搬するようになっている。
【００１６】
情報処理部１１２は、コンピュータプログラム及びデータを格納するＲＯＭ（Read Only Memory）１３１、ＲＡＭ（Random Access Memory）１３２、ＣＰＵ１３３を備える。また情報処理部１１２は、表示制御部１３４、振動制御部１３５、音声制御部１３６、位置検出部１３７、及びカウンタ１３８を備える。
表示制御部１３４、振動制御部１３５、音声制御部１３６、位置検出部１３７、及びカウンタ１３８は、ＣＰＵ１３３がＲＯＭ１３１からコンピュータプログラムを読み出して実行することで形成される機能ブロックであってもよい。また、ハードウェアとして備えていてもよい。
【００１７】
ＣＰＵ１３３は、ＲＯＭ１３１からコンピュータプログラム及びデータを読み出し、ＲＡＭ１３２を作業領域用メモリとして用いて処理を実行することで、操作部１０４全体の動作制御を行う制御部である。ＣＰＵ１３３は、位置検出部１３７及びハードキー１２５から送信されるデータを受信して、その内容に応じた情報をＲＡＭ１３２に書き込む。また、入力処理を行うための画像データを表示制御部１３４へ、振動データを振動制御部１３５へ、音声データを音声制御部１３６へ、それぞれ送信する。ＣＰＵ１３３は、複合機による処理に必要な情報がすべて揃うと、ＲＡＭ１３２から該情報を読み出してメインＣＰＵ１４１に送信する。
【００１８】
表示制御部１３４は、ＣＰＵ１３３から受信する画像データに応じた画像をＬＣＤ１２１に表示させる。振動制御部１３５は、ＣＰＵ１３３から受信した振動データに応じた振動パタンでモータ１２２を振動させる。音声制御部１３６は、ＣＰＵ１３３から受信した音声データに応じた音声を、発音装置であるスピーカ１２３から出力させる。
【００１９】
位置検出部１３７は、ユーザによるタッチパネル１２４の表示画面上のタッチ位置を検出する。検出結果は、ＣＰＵ１３３に送信される。カウンタ１３８は、ユーザがタッチパネル１２４の表示画面上をタッチしている時間を計測する。カウンタ１３８は、タッチ位置が移動しない場合には計測を続行し、タッチ位置が移動（スライド）した場合には計測時間をリセットする。
【００２０】
コントローラ１０３は、メインＣＰＵ１４１及びメインメモリ１４２を備える。
メインＣＰＵ１４１は、作業領域用メモリとしてメインメモリ１４２を用いて処理を実行することで、複合機全体の動作制御を行う。そのためにメインＣＰＵ１４１は、画像処理、プリンタ１０１への画像データ送信、スキャナ１０２からの画像データ受信、及びＣＰＵ１３３とのデータ通信等を行う。
【００２１】
プリンタ１０１は、メインＣＰＵ１４１から受信した画像データに応じて画像を印刷する。スキャナ１０２は、画像を読み取り、読み取った画像の画像データをメインＣＰＵ１４１へ送信する。
【００２２】
図２は、操作部１０４の外観例示図である。タッチパネル１２４は、表示画面にジョブ（処理）に対応付けられたアイコンを表示する。ユーザが表示画面をタッチしてアイコンを選択することで、ジョブの入力が可能である。ハードキー１２５は、テンキー２０１、スタートキー（START）２０２、及びリセットキー（RESET）２０３を有し、それぞれ数値、ジョブの実行命令、入力内容の初期化命令を入力することができる。
【００２３】
図３は、タッチパネル１２４の表示画面に表示される、複合機のジョブを選択するためのメニューとなるメニューアイコン３０２の表示例示図である。
表示画面には、ユーザによるタッチを入力操作として受け付け可能な有効領域３０１が設けられる。メニューアイコン３０２は、この有効領域３０１内に表示される。メニューアイコン３０２は、複合機にジョブの入力を行うための複数のアイコンから構成され、各アイコンはそれぞれ異なるジョブに対応付けられる。各アイコンは、ユーザによる有効領域３０１内のタッチ位置を中心に、その周囲に配置される。図３の例では、上下左右の４方向に配置されるが、複合機で実行可能なジョブの数に応じて、アイコン数、配置が決められてもよい。例えば、ジョブの数がもっと多い場合には、斜め方向を含めた８方向にアイコンを配置してもよい。
【００２４】
図４は、ユーザによるタッチパネル１２４へのタッチ位置が、メニューアイコン３０２の上部領域にある「コピー」アイコン（COPY）に移動した場合の例示図である。
ユーザのタッチ位置がスライドして「コピー」アイコンに移動すると、これを検出した情報処理部１１２は、コピー処理に関連する別の異なる処理に対応づけられた複数のアイコンを、スライド後のタッチ位置を中心にしてその周囲に表示する。図４では、コピー処理に関連して、コピー処理の設定条件を入力するための別のメニューアイコンを構成する複数のアイコンを表示する。
【００２５】
図４の例では、両面コピーの設定条件を入力するための両面メニューアイコン５０１を構成する「両面→両面」、「戻る」、「片面→両面」、「両面→片面」の各アイコンを、スライド後のタッチ位置である「コピー」アイコンの上下左右に表示する。ユーザが指を次のアイコン（「両面→両面」、「片面→両面」、「両面→片面」）にスライドすることで、さらに次のメニューアイコンが、スライド後のタッチ位置（選択したアイコン）を中心に展開する。また、「戻る」アイコンにスライドすることで、一つ前の状態に戻すことができる。
【００２６】
つまり、メニューアイコン３０２は階層構造になっている。メニューアイコン３０２から一つのアイコンが選択されると、該アイコンに関連した設定を行うための下位のメニューアイコンが、スライド後のタッチ位置に表示される該アイコンを中心に展開される。
【００２７】
このように指をタッチパネルの表示画面から離さず、スライドして一筆書きのようにしてアイコンを次々に選択することで、処理の設定が可能である。
【００２８】
図５ａ、図５ｂは、コピー操作の設定を行うメニューアイコンの遷移例示図である。この例では、コピー操作のための設定を、「両面」、「仕上げ」、「倍率」、「部数」の順に行う。そのためにコピー操作の設定情報を入力するためのメニューアイコンは、両面メニューアイコン５０１、仕上げメニューアイコン６０１、倍率メニューアイコン６０２、部数メニューアイコン６０３が、階層構造となって情報処理部１１２に用意される。
【００２９】
両面メニューアイコン５０１は、上下左右に「両面→両面」、「戻る」、「片面→両面」、「両面→片面」の各アイコンが表示される。指を次の選択肢であるアイコン（「両面→両面」、「片面→両面」、「両面→片面」）にスライドすると、選択したアイコンを中心にして仕上げメニューアイコン６０１が表示される。
【００３０】
仕上げメニューアイコン６０１は、上下左右に、「グループ」、「戻る」、「ソート」、「９０度回転」の各アイコンが表示される。指を次の選択肢であるアイコン（「グループ」、「ソート」、「９０度回転」）にスライドすると、選択したアイコンを中心にして倍率メニューアイコン６０２が表示される。
【００３１】
倍率メニューアイコン６０２は、左側に「縮小」アイコン、右側に「拡大」アイコンを備える。ユーザが指をスライドして「縮小」アイコンを選択すると縮小、「拡大」アイコンを選択すると拡大することができ、その倍率は選択回数に比例して変化する。設定した倍率は中央アイコンに表示される。指を上部に表示される「部数」アイコンにスライドすると、部数メニューアイコン６０３が表示される。
【００３２】
部数メニューアイコン６０３は、左側に「＋１」アイコン、上部に「＋１０」アイコン、右側に「＋１００」アイコンを備える。ユーザが指をスライドして、いずれかのアイコンを選択すると、該アイコンの数字が合計部数に加算される。部数合計値は中央アイコンに表示される。
【００３３】
各メニューアイコンから適宜選択が終了すると、最後に設定完了通知が表示画面に表示されて、ジョブが実行される。選択項目が多い場合は、メニューアイコンから選択可能なアイコンの数を増やす等の措置をとればよい。
【００３４】
図６は、このような複合機の情報処理部１１２による入力処理の制御手順を表すフローチャートである。
【００３５】
ユーザがタッチパネル１２４の表示画面の有効領域３０１をタッチすると、位置検出部１３７は、そのタッチ位置を検出する（Ｓ４０１）。ＣＰＵ１３３は、位置検出部１３７によるタッチ位置の検出に応じて、表示制御部１３４により、ＬＣＤ１２１に、タッチ位置を中心としてメニューアイコン３０２を表示させる。このとき、ＣＰＵ１３３は、振動制御部１３５によりモータ１２２を振動させて、メニューアイコン３０２が表示されたことをユーザに報知する。このようなメニューアイコン３０２の表示は、表示画面に他のメニューアイコンが表示されていない場合にのみ行う。
カウンタ１３８は、位置検出部１３７のタッチ位置の検出に応じて、検出時点からのタッチ時間の測定を開始する（Ｓ４０２）。
【００３６】
位置検出部１３７は、カウンタ１３８の測定時間が一定時間経過する前に、メニューアイコン３０２の周囲の領域である上下左右の領域のいずれかにおけるタッチ検出の有無を確認する（Ｓ４０３）。
【００３７】
タッチがない場合、ＣＰＵ１３３は、ＲＡＭ１３２から入力ガイドとなる音声パタンの音声データを取得する（Ｓ４０３：N、Ｓ４０４）。入力ガイドとなる音声パタンには、例えば、現在の設定状況と次に選択可能な選択肢の説明が含まれる。ＣＰＵ１３３は、取得した音声データを音声制御部１３６へ送信する（Ｓ４０５）。音声制御部１３６は、音声データを受信して、スピーカ１２３により該音声パタンの音声を出力する（Ｓ４０６）。音声の出力後、情報処理部１１２は、ステップＳ４０１に戻り、ユーザによるタッチパネル１２４へのタッチを待機する。
このように、一定時間経過してもユーザによる表示画面のタッチ以降の操作がないことを条件として、音声により入力操作をガイドする。これにより、視覚障害者が操作に迷った場合でも入力を継続して行うことができる。
【００３８】
タッチがある場合、ＣＰＵ１３３は、タッチパネル１２４の表示画面からユーザの指が離れ（タッチ終了）且つジョブが実行可能であるか否かを判断する（Ｓ４０３：Y、Ｓ４０７）。ジョブが実行可能な状態とは、ジョブに必要な各種の設定情報がすべてＲＡＭ１３２に書き込まれた状態である。
【００３９】
タッチパネル１２４からユーザの指が離れ且つジョブが実行可能である場合、ＣＰＵ１３３は、ＲＯＭ１３１から設定完了通知画面用のデータ（以下、「設定完了通知画面データ」という。）を取得する。また、ＲＡＭ１３２から設定情報を取得する（Ｓ４０７：Y、Ｓ４０８）。
ＣＰＵ１３３は、取得した設定完了通知画面データを表示制御部１３４へ送信する（Ｓ４０９）。表示制御部１３４は、設定完了通知画面データを受信して、ＬＣＤ１２１に設定完了通知画面を表示させる（Ｓ４１０）。また、ＣＰＵ１３３は、取得した設定情報をメインＣＰＵ１４１へ送信する（Ｓ４１１）。メインＣＰＵ１４１は、設定情報を受信して、この設定情報に基づいたジョブを実行する（Ｓ４１２）。
【００４０】
タッチパネル１２４から指が離れていない或いはジョブが実行可能でない場合、ＣＰＵ１３３は、タッチパネル１２４から指が離れていない（タッチ継続中）ことを確認する（Ｓ４０７：N、Ｓ４１３）。
【００４１】
タッチパネル１２４から指が離れていない場合、ＣＰＵ１３３は、ＲＡＭ１３２に、タッチ位置に応じた設定情報を書き込み、ＲＯＭ１３１から下位の両面メニューアイコン５０１及び振動パタンを表す振動データを取得する（Ｓ４１４）。タッチ位置に応じた設定情報とは、タッチ位置に表示されるアイコンに対応づけられた設定情報である。振動パタンは、ＲＡＭ１３２に書き込まれた設定情報に特有のパタンであり、振動によりユーザに設定された設定情報を報知するものである。ＣＰＵ１３３は、表示制御部１３４へ取得した両面メニューアイコン５０１及び表示画面上のユーザのタッチ位置を送信し、振動制御部１３５へ取得した振動データを送信する（Ｓ４１５）。
【００４２】
表示制御部１３４は、両面メニューアイコン５０１及びタッチ位置を受信して、ＬＣＤ１２１の表示画面に、タッチ位置を中心にして両面メニューアイコン５０１を表示する（Ｓ４１６）。振動制御部１３５は、振動データを受信して、モータ１２２を振動させる（Ｓ４１７）。その後、情報処理部１１２は、ステップＳ４０１に戻り、ユーザによるタッチパネル１２４へのタッチを待機する。
【００４３】
ステップＳ４１３においてタッチパネル１２４から指が離れた場合、ＣＰＵ１３３は、設定情報の入力が中止されたと判断して、ＲＡＭ１３２の設定情報を初期化する（Ｓ４１３：N、Ｓ４１８）。その後、情報処理部１１２は、ステップＳ４０１に戻り、ユーザによるタッチパネル１２４へのタッチを待機する。
【００４４】
メニューアイコンが図５ａ、図５ｂに示すような階層構造を持つ場合には、ステップＳ４１４〜Ｓ４１７の処理を繰り返すことで、「両面」、「仕上げ」、「倍率」、「部数」のそれぞれの設定を行う。そのために、ステップＳ４１４では、ＲＯＭ１３１から、両面メニューアイコン５０１、仕上げメニューアイコン６０１、倍率メニューアイコン６０２、部数メニューアイコン６０３が、順に読み出される。また、メニューアイコンと同時に取得される振動データの振動パタンに、各メニューアイコンに特有のものを追加してもよい。この場合、設定情報に特有の振動パタンの他に、両面メニューアイコン５０１、仕上げメニューアイコン６０１、倍率メニューアイコン６０２、部数メニューアイコン６０３のそれぞれに特有の振動パタンが読み出される。
【００４５】
以上のように、ユーザは、タッチパネル１２４の表示画面から指を離さず、連続したスライド入力により一筆書きのようにして入力操作を行うことができる。そのため、従来のように詳細設定時にアイコンの位置を探す必要がなくなり、視覚障害者でもタッチパネルによる入力が容易に可能になる。また、タッチ位置の移動が、一定時間以上、アイコンの選択に有効な領域で検出できない場合には、音声によるガイドを行い、視覚障害者の入力補助を行う。また、操作中は入力に応じた振動パターンをユーザの指先に与え、入力できたことを通知するため、音声による入力確認の頻度を下げることができる。
【００４６】
＜他の実施形態＞
設定項目が多種、多様になると、タッチパネル１２４へのスライド入力が有効領域３０１内では困難になる場合がある。そこでこの実施形態では、スライド入力を設定項目毎に行う例について説明する。図７は、複合機の情報処理部１１２によるこのような入力処理の制御手順を表すフローチャートである。
【００４７】
ステップ７０１〜Ｓ７０６の処理については、図６のステップＳ４０１〜Ｓ４０６の処理と同様であるので説明を省略する。
【００４８】
ステップＳ７０３において、測定時間が一定時間内に、位置検出部１３７がメニューアイコン３０２の上下左右の領域のいずれかのタッチを検出した場合、ＣＰＵ１３３は、タッチパネル１２４から指が離れたかを判断する（Ｓ７０３：Y、Ｓ７０７）。ＣＰＵ１３３は、タッチパネル１２４から指が離れるまで待機して、指が離れた場合に、ジョブが実行可能であるか否かを判断する（Ｓ７０７：Y、Ｓ７０８）。ジョブが実行可能な状態とは、ジョブに必要な各種の設定情報がすべてＲＡＭ１３２に書き込まれた状態である。
【００４９】
ジョブが実行可能である場合、ＣＰＵ１３３は、ステップＳ７０９〜Ｓ７１３の処理を実行することになるが、これは、図６のステップＳ４０８〜Ｓ４１２の処理と同様であるので説明を省略する。
ジョブが実行可能でない場合、ＣＰＵ１３３は、ステップＳ７１４〜Ｓ７１７の処理を実行することになるが、これは、図６のステップＳ４１４〜Ｓ４１７の処理と同様であるので説明を省略する。
【００５０】
以上のように、タッチパネル１２４へのスライド入力を設定項目毎に行うことで、設定項目が多種、多様の場合でも、容易にタッチパネル１２４の有効領域３０１内での操作が可能となる。
【符号の説明】
【００５１】
１０１…プリンタ、１０２…スキャナ、１０３…コントローラ、１０４…操作部、１１１…入出力部、１１２…情報処理部、１２１…ＬＣＤ、１２２…モータ、１２３…スピーカ、１２４…タッチパネル、１２５…ハードキー、１３１…ＲＯＭ、１３２…ＲＡＭ、１３３…ＣＰＵ、１３４…表示制御部、１３５…振動制御部、１３６…音声制御部、１３７…位置検出部、１３８…カウンタ、１４１…メインＣＰＵ、１４２…メインメモリ。
【図１】
2014115787.tif 000003
【図２】
2014115787.tif 000004
【図３】
2014115787.tif 000005
【図４】
2014115787.tif 000006
【図５ａ】
2014115787.tif 000007
【図５ｂ】
2014115787.tif 000008
【図６】
2014115787.tif 000009
【図７】
2014115787.tif 000010